(57)【要約】【課題】本発明は設置作業、メンテナンス作業又は補修作業において作業効率を向上することができる撮像装置を提供する。【解決手段】撮像装置１において、撮像部３１と、撮像部３１に電源を供給する電源部３４と、電源部３４から撮像部３１に電源が供給されているときに発光する表示灯３４１と、収納凹部２Ａを有し、この収納凹部２Ａに撮像部３１、電源部３４及び表示灯３４１を収納した撮像装置筐体２と、着脱自在に収納凹部２Ａを塞ぐ光透過性を有するカバー６と、収納凹部２Ａにカバー６を取り付けた状態において表示灯３４１から収納凹部２Ａの外側に出射される光ＬＴを遮蔽し、収納凹部２Ａからカバー６を取り外した状態において表示灯３４１から出射される光ＬＴを収納凹部２Ａの外側に誘導する光遮蔽誘導部５とを備える。【選択図】図１
2011023912.tif 000002
【特許請求の範囲】
【請求項１】
撮像部と、
前記撮像部に電源を供給する電源部と、
前記電源部から前記撮像部に電源が供給されているときに発光する表示灯と、
収納凹部を有し、この収納凹部に前記撮像部、前記電源部及び前記表示灯を収納した撮像装置筐体と、
着脱自在に前記収納凹部を塞ぐ光透過性を有するカバーと、
前記収納凹部に前記カバーを取り付けた状態において前記表示灯から前記収納凹部の外に出射される光を遮蔽し、前記収納凹部から前記カバーを取り外した状態において前記表示灯から出射される光を前記収納凹部の外に誘導する光遮蔽誘導部と、
を備えたことを特徴とする撮像装置。
【請求項２】
前記光遮蔽誘導部は、
前記収納凹部内に固定される固定端と、
前記固定端に連接され前記表示灯からの光を遮蔽する遮蔽体と、
前記遮蔽体の一部に配設され前記表示灯からの光を通過させる光誘導窓と、
前記光誘導窓に連接され前記収納凹部に前記カバーを取り付けた状態において前記カバーに押圧される可動端と、を備え、
前記収納凹部に前記カバーを取り付けた状態において前記表示灯が前記遮蔽体により覆われ前記光誘導窓が前記収納凹部内に収納され、前記表示灯から前記収納凹部の外に出射される光を遮蔽し、
前記収納凹部から前記カバーを取り外した状態において前記可動端の押圧が解放され、前記収納凹部内に収納されていた前記光誘導窓が前記収納凹部の外に光を出射する位置まで移動し、前記表示灯から前記光誘導窓を通して前記収納凹部の外に光を誘導することを特徴とする請求項１に記載の撮像装置。
【請求項３】
前記光遮蔽誘導部の前記固定端、前記遮蔽体及び前記可動端は、バネ性を有する板状部材により構成されていることを特徴とする請求項２に記載の撮像装置。
【請求項４】
前記遮蔽体は前記板状部材を断面Ｖ字形状に折り曲げて構成され、この板状部材の折り曲げられた斜面の一部に前記光誘導窓が配設されていることを特徴とする請求項３に記載の撮像装置。
【請求項５】
前記電源部に電気的に接続された回路基板を更に備え、
前記表示灯は前記回路基板の前記収納凹部の外側の面に実装された発光ダイオードにより構成され、
前記光遮蔽誘導部の固定端は前記回路基板の前記発光ダイオードが実装された面に固定されていることを特徴とする請求項２乃至請求項４のいずれかに記載の撮像装置。
【請求項６】
前記光遮蔽誘導部は、
前記表示灯からの光を遮蔽する遮蔽体と、
前記収納凹部から前記カバーを取り外した状態において前記遮蔽体を迂回し前記表示灯からの光を前記収納凹部の外に誘導する光誘導路と、
前記収納凹部に前記カバーを取り付けた状態において前記表示灯からの光を前記収納凹部の外に誘導することができない位置まで前記光誘導路を移動させる光誘導路移動機構と、
を備えたことを特徴とする請求項１に記載の撮像装置。
【請求項７】
前記光誘導路は、
前記表示灯から前記遮蔽体に沿いこの遮蔽体端まで延伸された第１の光誘導路と、
前記遮蔽体端から前記収納凹部の外若しくはその近傍まで延伸された第２の光誘導路と、
前記第１の光誘導路と前記第２の光誘導路との間に配設され、前記第１の光誘導路に誘導された光を前記第２の光誘導路に反射する反射部と、を備え、
前記第１の光誘導路、前記反射部及び前記第２の光誘導路は光透過性を有する樹脂により一体に構成されていることを特徴とする請求項６に記載の撮像装置。
【請求項８】
前記光誘導路移動機構は、
前記光誘導路に連接された摺動部と、
前記摺動部に嵌合し、前記表示灯からの光を前記収納凹部の外に誘導する位置と誘導することができない位置との間において前記光誘導路の移動を導くガイド部と、
前記光誘導路及び前記摺動部に連接され前記収納凹部に前記カバーを取り付けた状態においてこのカバーに押圧される可動端と、
前記光誘導路を前記表示灯からの光を誘導する位置に保持するための弾性体と、
を備えたことを特徴とする請求項６又は請求項７に記載の撮像装置。
【請求項９】
前記電源部に電気的に接続され前記遮蔽体として使用される回路基板を更に備え、
前記表示灯は前記回路基板の前記収納凹部の外側の面とは反対の面に実装された発光ダイオードにより構成されていることを特徴とする請求項６乃至請求項８のいずれかに記載の撮像装置。
【発明の詳細な説明】
【技術分野】
【０００１】
本発明は、撮像装置に関し、特に、監視用カメラや防犯カメラとして使用され、撮像部及び電源部を内部に収納する撮像装置筐体の収納凹部に着脱自在に光透過性のカバーが装着された撮像装置に関する。
【背景技術】
【０００２】
事故や災害を未然に防ぐ安全対策や不法侵入者に対する防犯対策等を目的として、屋内や屋外を問わず監視カメラ（又は防犯カメラ）が設置されている。監視カメラとしてドーム型監視カメラが知られており、このドーム型の監視カメラは、一般的に、カメラ本体を含むカメラユニットと、このカメラユニットを内部に収納し屋内や屋外に設置するための装置筐体と、この装置筐体のカメラ本体側の窓に装着されたドームカバーとを備えている。カメラユニットには、カメラ本体の他に、カメラ本体の動作等を制御する制御部、カメラ本体や制御部に電源を供給する電源部等が含まれている。ドームカバーは、半球形状の無色透明か若しくは灰色を含む有色透明のカバーであり、撮影の際のレンズとして機能するとともに、カメラユニットを保護する装置筐体の蓋のような機能を備えている。
【０００３】
監視カメラを新たに設置する場合、又は既に設置された監視カメラのメンテナンス作業や補修作業を行う場合、設置や作業完了前後において、監視カメラの正常な動作状態を作業者が確認することができれば、作業効率を向上することができる。例えば、監視カメラを新たに設置した後に、遠隔モニタを用いて監視カメラからの映像を確認しようとした場合、電源部の故障、電源の供給配線の不備、カメラ本体自体の故障等が発生すると、カメラ本体の動作に必要な電源が供給されないので、監視カメラは正常に動作せず、監視することができない。このような場合には、新しい監視カメラを再度設置するか、又は設置された監視カメラの修理を行うか、いずれにしても作業効率は低下する。
【０００４】
このような課題を解決するために、装置筐体のドームカバー外側であってその側面等に表示灯が配設された監視カメラが開発されている。この表示灯はカメラ本体の動作に必要な電源が正常に供給されているときに発光するように設定されている。表示灯には、消費電力が少なく、安価な発光ダイオード（ＬＥＤ）が使用されている。この監視カメラを使用すれば、設置した後に、或いはメンテナンス作業や補修作業を終了した後に、その場において監視カメラの動作が正常か否かを確認することができるので、作業効率を向上することができる。
【０００５】
ところが、監視カメラが動作状態にあると表示灯が点灯しているので、被監視者は、監視されていることを感知し、監視カメラの存在を意識してしまう。例えば、被監視者が不法侵入者である場合には未然に不法侵入を防止することができるという効果はあるものの、逆に監視カメラの設置場所が把握されてしまい、監視カメラの設置場所を迂回する可能性を否定することができない。
【０００６】
監視カメラのドームカバー内に表示灯を組み込めばこのような問題点を解決することができる。しかしながら、表示灯の光がドームカバー内面に反射し、監視カメラの映像に表示灯が映り込む場合があり、その場合には映像が不鮮明になる。従って、監視カメラにおいて、ドームカバー内に表示灯を組み込むことを避ける必要があった。
【０００７】
下記特許文献１には、カメラヘッドから得られる信号の処理部が構成された回路基板に、表示器の点灯状態と消灯状態とをスイッチの操作により選択的に制御可能な状態表示手段を備えた監視用ドームカメラの状態表示装置が開示されている。この状態表示装置を採用すれば、スイッチ操作により表示器を点灯状態に選択することによって、監視用ドームカメラの設置、メンテナンス作業又は補修作業において表示器の点灯状態からカメラヘッドの動作状態を確認することができる。一方、スイッチの操作により表示器を消灯状態に選択することによって、被監視者に対して監視用ドームカメラの存在を意識させることがなくなる。
【先行技術文献】
【特許文献】
【０００８】
【特許文献１】特開２００８−２７８２５３号公報
【発明の概要】
【発明が解決しようとする課題】
【０００９】
しかしながら、前述の特許文献１に開示された監視用ドームカメラの状態表示装置においては、以下の点について配慮がなされていなかった。前述の監視用ドームカメラの状態表示装置の回路基板に作業者が直接操作するスイッチが組み込まれており、監視用ドームカメラの設置、メンテナンス作業又は補修作業の際にその都度スイッチを操作する必要があり、その操作が煩わしく、作業効率が低下してしまう。
【００１０】
本発明は上記課題を解決するためになされたものである。従って、本発明は、設置作業、メンテナンス作業又は補修作業において作業効率を向上することができる撮像装置を提供することである。
【課題を解決するための手段】
【００１１】
上記課題を解決するために、本発明の実施例に係る第１の特徴は、撮像装置において、撮像部と、撮像部に電源を供給する電源部と、電源部から撮像部に電源が供給されているときに発光する表示灯と、収納凹部を有し、この収納凹部に撮像部、電源部及び表示灯を収納した撮像装置筐体と、着脱自在に収納凹部を塞ぐ光透過性を有するカバーと、収納凹部にカバーを取り付けた状態において表示灯から収納凹部の外に出射される光を遮蔽し、収納凹部からカバーを取り外した状態において表示灯から出射される光を収納凹部の外に誘導する光遮蔽誘導部とを備える。
【００１２】
本発明の実施例に係る第２の特徴は、第１の特徴に係る撮像装置の光遮蔽誘導部において、収納凹部内に固定される固定端と、固定端に連接され表示灯からの光を遮蔽する遮蔽体と、遮蔽体の一部に配設され表示灯からの光を通過させる光誘導窓と、光誘導窓に連接され収納凹部にカバーを取り付けた状態においてカバーに押圧される可動端とを備え、収納凹部にカバーを取り付けた状態において表示灯が遮蔽体により覆われ光誘導窓が収納凹部内に収納され、表示灯から収納凹部の外に出射される光を遮蔽し、収納凹部からカバーを取り外した状態において可動端の押圧が解放され、収納凹部内に収納されていた光誘導窓が収納凹部の外に光を出射する位置まで移動し、表示灯から光誘導窓を通して収納凹部の外に光を誘導することである。
【００１３】
第２の特徴に係る撮像装置において、光遮蔽誘導部の固定端、遮蔽体及び可動端は、バネ性を有する板状部材により構成されていることが好ましい。
【００１４】
第２の特徴に係る撮像装置において、遮蔽体は板状部材を断面Ｖ字形状に折り曲げて構成され、この板状部材の折り曲げられた斜面の一部に光誘導窓が配設されることが好ましい。
【００１５】
第２の特徴に係る撮像装置において、電源部に電気的に接続された回路基板を更に備え、表示灯は回路基板の収納凹部の外側の面に実装された発光ダイオードにより構成され、光遮蔽誘導部の固定端は回路基板の発光ダイオードが実装された面に固定されていることが好ましい。
【００１６】
本発明の実施例に係る第３の特徴は、第１の特徴に係る撮像装置の光遮蔽誘導部において、表示灯からの光を遮蔽する遮蔽体と、収納凹部からカバーを取り外した状態において遮蔽体を迂回し表示灯からの光を収納凹部の外に誘導する光誘導路と、収納凹部にカバーを取り付けた状態において表示灯からの光を収納凹部の外に誘導することができない位置まで光誘導路を移動させる光誘導路移動機構とを備える。
【００１７】
第３の特徴に係る撮像装置において、光誘導路は、表示灯から遮蔽体に沿いこの遮蔽体端まで延伸された第１の光誘導路と、遮蔽体端から収納凹部の外若しくはその近傍まで延伸された第２の光誘導路と、第１の光誘導路と第２の光誘導路との間に配設され、第１の光誘導路に誘導された光を第２の光誘導路に反射する反射部とを備え、第１の光誘導路、反射部及び第２の光誘導路は光透過性を有する樹脂により一体に構成されていることが好ましい。
【００１８】
第３の特徴に係る撮像装置において、光誘導路移動機構は、光誘導路に連接された摺動部と、摺動部に嵌合し、表示灯からの光を収納凹部の外に誘導する位置と誘導することができない位置との間において光誘導路の移動を導くガイド部と、光誘導路及び摺動部に連接され収納凹部にカバーを取り付けた状態においてこのカバーに押圧される可動端と、光誘導路を表示灯からの光を誘導する位置に保持するための弾性体とを備えることが好ましい。
【００１９】
第３の特徴に係る撮像装置において、電源部に電気的に接続され遮蔽体として使用される回路基板を更に備え、表示灯は回路基板の収納凹部の外側の面とは反対の面に実装された発光ダイオードにより構成されていることが好ましい。
【発明の効果】
【００２０】
本発明によれば、設置作業、メンテナンス作業又は補修作業において作業効率を向上することができる撮像装置を提供することができる。
【図面の簡単な説明】
【００２１】
【図１】本発明の実施例１に係る撮像装置の全体外観図である。
【図２】図１に示す撮像装置の撮像ユニットの回路ブロック図である。
【図３】図１に示す撮像装置の光遮蔽誘導部の斜視図である。
【図４】図１に示す撮像装置からカバーを取り付けた状態において光遮蔽誘導部の動作状態を示す概略構成図である。
【図５】図１に示す撮像装置のカバーを取り外した状態において光遮蔽誘導部の動作状態を示す概略構成図である。
【図６】実施例１に係る撮像装置の光遮蔽誘導部の第１の変形例を示す斜視図である。
【図７】実施例１に係る撮像装置の光遮蔽誘導部の第２の変形例を示す斜視図である。
【図８】本発明の実施例２に係る撮像装置の全体外観図である。
【図９】図８に示す撮像装置からカバーを取り付けた状態において光遮蔽誘導部の動作状態を示す概略構成図である。
【図１０】図８に示す撮像装置からカバーを取り外した状態において光遮蔽誘導部の動作状態を示す概略構成図である。
【発明を実施するための形態】
【００２２】
次に、図面を参照して、本発明の実施例を説明する。以下の図面の記載において、同一又は類似の部分には同一又は類似の符号を付している。但し、図面は模式的なものであり、現実のものとは異なる。また、図面相互間においても互いの寸法の関係や比率が異なる部分が含まれている場合がある。
【００２３】
また、以下に示す実施例はこの発明の技術的思想を具体化するための装置や方法を例示するものであって、この発明の技術的思想は各構成部品の配置等を下記のものに特定するものでない。この発明の技術的思想は、特許請求の範囲において、種々の変更を加えることができる。
【００２４】
（実施例１）
本発明の実施例１は、撮像装置として固定型の監視用ドームカメラ（又は防犯用ドームカメラ）に本発明を適用した例を説明するものである。
【００２５】
［撮像装置の構成］
図１及び図２に示すように、実施例１に係る撮像装置１は、映像を撮影する撮像部３１と、撮像部３１に電源を供給する電源部３４と、電源部３４から撮像部３１に電源が供給されているときに発光し、電源供給状態を表示する表示灯３４１と、撮像部３１の撮像側に開口を持った収納凹部２Ａを有し、この収納凹部２Ａ内に撮像部３１、電源部３４及び表示灯３４１を収納する撮像装置筐体２と、収納凹部２Ａに着脱自在に取り付け及び取り外しが行え、光透過性を有するカバー６と、収納凹部２Ａにカバー６を取り付けた状態において表示灯３４１から収納凹部２Ａの開口を通してその外側に射出される光（ＬＴ）を遮蔽し、収納凹部２Ａからカバー６を取り外した状態において表示灯３４１から収納凹部２Ａの外側に光（ＬＴ）を誘導する光遮蔽誘導部５とを備えている。
【００２６】
撮像部３１、電源部３４及び表示灯３４１は、図２に示すように、制御部３３、信号処理部３２及びオンスクリーン部３５と併せて撮像ユニット３を構築している。この撮像ユニット３は撮像装置筐体２の収納凹部２Ａ内に取り付けられている。更に、この撮像ユニット３の撮像部３１の先端側には光学レンズ３６が配設されている。
【００２７】
撮像部３１はカメラであり、実施例１において撮像素子としてＣＣＤ（電荷結合素子）を用いたカメラが使用されている。撮像部３１は、光学レンズ３６、カバー６のそれぞれを通して映し出される例えば被監視者や被監視場所の映像を撮影する。
【００２８】
電源部３４は撮像ユニット３の電源端子３０４を通して図示しない電源ケーブルに接続され、この電源ケーブルを通して外部から電源部３４に電源が供給される。また、電源部３４は撮像ユニット３の映像出力端子３０３を通して図示しない同軸ケーブルに接続され、この同軸ケーブルを通してそれに重畳された電源が電源部３４に供給される。電源部３４は、主として商用電源から撮像装置１の内部において使用される電源を生成し、撮像部３１、制御部３３、信号処理部３２、オンスクリーン部３５及び表示灯３４１の各部にこの生成された電源を供給する。
【００２９】
信号処理部３２は、撮像部３１から出力されるアナログ映像信号をデジタル映像信号に変換し、更にシャープネス処理、コントラスト処理、ガンマ補正処理、ホワイトバランス処理、白傷処理等の各種信号処理を行う。この信号処理が行われた映像信号はオンスクリーン部３５に出力される。
【００３０】
オンスクリーン部３５は撮像部３１を用いて撮像された映像を映し出す外部のディスプレイ（モニタ）に対し設定画面を画面として表示させる機能を有する。このオンスクリーン部３５からの映像信号をディスプレイに表示させてディスプレイに映し出す映像の水平方向や垂直方向の位置の調整、ゆがみの補正、コントラストの調整、明るさの調整等の各種調節を行うことができる。
【００３１】
制御部３３は、撮像ユニット３の撮像部３１、信号処理部３２、電源部３４及びオンスクリーン部３５の各部に接続されるとともに、第１の操作端子３０１及び第２の操作端子３０２に接続されている。制御部３３は、中央演算処理ユニット（ＣＰＵ）、読み出し専用メモリ（ＲＯＭ）、書き込み読み出し可能なメモリ（ＲＡＭ）、ハードディスク（ＨＤ）等を備え、外部機器からの操作に基づいて撮像装置１の動作制御を司る。
【００３２】
第１の操作端子３０１は実施例１においてメニュースイッチに接続される端子である。メニュースイッチは、その投入によって、制御部３３及びオンスクリーン部３５によって撮像装置１の設定メニューを外部のディスプレイに表示させる。ディスプレイに表示された設定メニューには前述の映像の位置の調整等の設定項目が表示される。第２の操作端子３０２は実施例１において設定スイッチに設定される端子である。設定スイッチは、その投入によって、制御部３３及びオンスクリーン部３５によって外部のディスプレイに表示された設定メニューの設定項目の選択を行う。
【００３３】
図１及び図３に示すように、実施例１において、表示灯３４１は、撮像ユニット３の電源部３４に電気的に接続され、撮像ユニット３に装着された回路基板３４２の収納凹部２Ａの開口側の面（ここでは表面）に実装されている。表示灯３４１には、例えば消費電力が少なく安価な発光ダイオード（ＬＥＤ）が使用されている。表示灯３４１と電源部３４との間は表示灯３４１の発光及び消灯を切り替えるスイッチを介在させずに直接電気的に接続している。従って、撮像装置１の動作が開始されたときに、表示灯３４１には電源部３４から電源が供給され、表示灯３４１は常時発光状態にある。勿論、撮像装置１の動作を停止させたときや、動作を終了させたときには、表示灯３４１には電源が供給されないので、表示灯３４１は消灯状態になる。
【００３４】
なお、ここで、表示灯３４１は、ＬＥＤに限定されるものではなく、撮像装置１の動作を確認することができる表示であればよいので、例えばレーザ、液晶（ＬＣ）、エレクトロルミネッセンス（ＥＬ）、電球、蛍光灯等の表示灯を使用してもよい。
【００３５】
光遮蔽誘導部５は、図１及び図３に示すように、撮像装置筐体２の収納凹部２Ａ内に固定される固定端５１と、固定端５１に連接され表示灯３４１からの光（ＬＴ）を遮蔽する遮蔽体５２と、遮蔽体５２の一部に貫通させて配設され表示灯３４１からの光（ＬＴ）を誘導する（ここでは通過させる）光誘導窓５３と、遮蔽体５２に連接され収納凹部２Ａの開口を塞ぐようにその開口にカバー６を取り付けた状態においてこのカバー６の縁６ａ（図４参照。）に押圧される可動端５４とを備えている。実施例１において、光遮蔽誘導部５の固定端５１、遮蔽体５２及び可動端５４は、バネ性を有し、固定端５１から可動端５４に向かって細長い長方形形状の板状部材を用いて製作されている。更に詳細には、光遮蔽誘導部５のこの板状部材はほぼ中央部において断面Ｖ字形状に折り曲げられ、この板状部材の折り曲げられた一方（図３中、右側半分）の斜面の全域は遮蔽体５２として構成され、この板状部材の折り曲げられた他方（図３中、左側半分）の斜面は遮蔽体５２ではあるがその一部に貫通穴を形成して光誘導窓５３を構成している。板状部材には、例えばステンレス鋼等の金属製板材、ある程度の可撓性を有する樹脂製板材等を使用することができる。光誘導窓５３の周辺部分に配設された遮光体５２は、表示灯３４１から発せられる光（ＬＴ）を基本的に透過させない不透明な材料により構成されている。
【００３６】
光遮蔽誘導部５の固定端５１は、撮像ユニット３の電源部３４に電気的に接続された回路基板３４２の収納凹部２Ａの開口側の表面に取り付けられている。固定端５１の回路基板３４２の取り付けには締結部材５５が使用され、双方はこの締結部材５５によって機械的に固定されている。締結部材５５には、例えば固定端５１の片側からとめるネジ、固定端５１及び回路基板３４２の両側からとめるボルトナット等を使用することができる。また、締結部材５５は溶接されたろう材やはんだであってもよい。実施例１においては、回路基板３４２の表面と同一表面には表示灯３４１が実装されている。
【００３７】
光誘導窓５３は前述の板状部材を貫通する開口である。光誘導窓５３の製作には、簡易な加工、例えば打ち抜き加工、ドリル加工等の機械加工、エッチング加工等の化学加工、レーザ加工等の物理加工を使用することができる。ここでは、光誘導窓５３は、円形状において貫通する開口により構成され、カバー６を撮像装置筐体２から取り外した状態において、表示灯３４１から発せられる光を収納凹部２Ａの開口を通してその外側に誘導する機能を有する。
【００３８】
なお、光誘導窓５３は、円形状に限定されるものではなく、表示灯３４１からの光（ＬＴ）を収納凹部２Ａの外側に誘導し、その光（ＬＴ）を作業者が確認することができればよいので、楕円形状、三角形状若しくは五角以上の多角形状であってもよい。また、光誘導窓５３は、図６に示すように細長い四角形状のスリットや、図７に示すように切欠形状であってもよい。
【００３９】
可動端５４は、光誘導窓５３が配設された遮蔽体５２の表面に対して収納凹部２Ａの開口側に折れ曲がっており、カバー６の縁６ａに接触するようになっている。可動端５４は、このカバー６の取り付けに伴う縁６ａによる押圧、カバー６の取り外しに伴う押圧の解放に従って、固定端５１を中心として遮蔽体５２及び光誘導窓５３の位置を移動させる機能を有する。すなわち、光遮蔽誘導部５は、収納凹部２Ａにカバー６を取り付けた状態において表示灯３４１が遮蔽体５２により覆われ光誘導窓５３が収納凹部２Ａ内に収納され、表示灯３４１から収納凹部２Ａの開口を通してその外側に出射される光（ＬＴ）を遮蔽し、収納凹部２Ａからカバー６を取り外した状態において可動端５４の押圧が解放され、収納凹部２Ａ内に収納されていた光誘導窓５３が収納凹部２Ａの開口まで若しくはその近傍まで移動し、表示灯３４１から光誘導窓５３を通して更に収納凹部２Ａの開口を通してその外側に光（ＬＴ）を通過させる機能を有する。
【００４０】
撮像装置筐体２は、図１、図４及び図５に示すように、各図上側の一方に開口を有し、下側の他方に底面２ｔを有する凹型の容器からなる収納凹部２Ａを備えている。収納凹部２Ａにはその開口を着脱自在に塞ぐカバー６が装着され、この収納凹部２Ａ及びカバー６によって作り出されるキャビティ内部に撮像ユニット３が収納され取り付けられる。撮像装置筐体２は、例えば実質的に光透過性を持たない樹脂又は金属により製作されている。
【００４１】
カバー６は、前述のように撮像装置筐体２の収納凹部２Ａの開口を塞ぐように取り付けられ、そして取り外しを行える。ここでは、カバー６は、広角範囲の撮影を行うためにドーム型形状により構成され、監視や防犯を目的として撮影状態を被監視者等に意識させないように灰色を含む有色透明の樹脂により製作されている。なお、カバー６は、目的に応じて、無色透明なカバーや、無色透明な材料の表面にミラーコーティングを施したカバーであってもよい。
【００４２】
［撮像装置の動作］
前述の撮像装置１の動作は以下の通りである。図４は撮像装置筐体２にカバー６を取り付けた状態の撮像装置１を示す。撮像装置１において、カバー６の取り付けによってカバー６の縁６ａにより光遮蔽誘導部５の可動端５４は押圧された状態にある。光遮蔽誘導部５においては、可動端５１を中心として、遮蔽体５２及び光誘導窓５３が撮像装置筐体２の底面２ｔ側に押さえられ変形し、遮蔽体５２が表示灯３４１の上面から側面を覆って収納凹部２Ａの外側に射出される光（ＬＴ）を遮蔽している。光誘導窓５３は収納凹部２Ａの内部であって回路基板３４２とカバー６の縁６ａ近傍の内面との間に収納されている。撮像装置１が撮影状態（動作状態）にあるとき、撮像ユニット３の電源部３４は各部に電源を供給しており、表示灯３４１にも電源が供給されているので、表示灯３４１は発光状態にある。実施例１に係る撮像装置１においては、表示灯３４１は光遮蔽誘導部５の遮蔽体５２により覆われ、その光（ＬＴ）の収納凹部２Ａｔから開口を通して外側への誘導は停止されているので、表示灯３４１が発光していてもカバー６内面の光の映り込みは無い。
【００４３】
一方、図５は、撮像装置１の設置作業、メンテナンス作業或いは補修作業等において、カバー６を取り外した状態の撮像装置１を示す。撮像装置１において、カバー６の取り外しによって光遮蔽誘導部５の可動端５４はカバー６の縁６ａによる押圧から解放された状態にある。光遮蔽誘導部５においては、可動端５１を中心として、遮蔽体５２及び光誘導窓５３が撮像装置筐体２の収納凹部２Ａの外側に向かってバネ性によって戻され、遮蔽体５２による表示灯３４１の覆い方が緩和され、光誘導窓５３が収納凹部２Ａの外側に向かって移動する。実施例１に係る撮像装置１においては、表示灯３４１は撮像状態にすれば発光状態にあるので、表示灯３４１の光（ＬＴ）は光誘導窓５３を通して更に収納凹部２Ａの開口を通してその外側に誘導される。この誘導された光（ＬＴ）は作業者によって確認することができ、この場所において、電源部３４から各部に電源が正常に供給されているのか、供給されていないのかを即座に確認することができ、撮像装置１の設置作業等の作業効率を向上することができる。
【００４４】
［撮像装置の特徴］
実施例１に係る撮像装置１においては、カバー６を取り付けた状態において表示灯３４１の光（ＬＴ）を遮蔽し、カバー６を取り外した状態において表示灯３４１の光（ＬＴ）を収納凹部２Ａの外側に誘導する光遮蔽誘導部５を備えたので、撮影のときに表示灯３４１から出射された光（ＬＴ）がカバー６の内面で反射して生じる光の映り込みを無くして鮮明な映像を得ることができるとともに、設置作業等における動作状態を表示灯３４１の光（ＬＴ）により確認することができ、作業効率を向上することができる。
【００４５】
更に、撮像装置１においては、光遮蔽誘導部５が板状部材を簡易に加工して単純な部品により製作されているので、光遮蔽誘導部５の装着が容易に行えるとともに、製作コストを減少することができる。
【００４６】
（実施例２）
本発明の実施例２は、実施例１に係る撮像装置１において、光遮蔽誘導部５の構成を代えた例を説明するものである。
【００４７】
［撮像装置の構成］
図８に示すように、実施例２に係る撮像装置１の構成は、撮像装置筐体２に撮像ユニット３を配設し、撮像装置筐体２に着脱自在にカバー６を装着する構成の点において、前述の実施例１に係る撮像装置１と同様である。この実施例２に係る撮像装置１は、実施例１に係る撮像装置１の光遮蔽誘導部５に代えて、光遮蔽誘導部７を備えている。光遮蔽誘導部７は、図８乃至図１０に示すように、表示灯３４１からの光（ＬＴ）を遮蔽する遮蔽体（回路基板３４２）と、撮像装置筐体２の収納凹部２Ａの開口を塞ぐカバー６を取り外した状態において遮蔽体を迂回し表示灯３４１から出射される光（ＬＴ）を収納凹部２Ａの開口を通してその外側に誘導する光誘導路７１と、収納凹部２Ａの開口を塞ぐカバー６を取り付けた状態において表示灯３４１から出射される光（ＬＴ）を収納凹部２Ａの外部に誘導することができない位置まで光誘導路７１を移動させる光誘導路移動機構（７２−７５）とを備えている。
【００４８】
実施例２において、光遮蔽誘導部７の遮蔽体には、撮像ユニット３の電源部３４に電気的に接続された回路基板３４２が兼用して使用されている。回路基板３４２を遮蔽体として使用することによって別途遮蔽体として機能する部品を省略することができ、部品点数を削減して光遮蔽誘導部７を簡易に製作することができる。表示灯３４１は、実施例１に係る表示灯３４１と同様に例えばＬＥＤにより構成されている。実施例２に係る撮像装置１においては、表示灯３４１は、回路基板（遮蔽体）３４２の収納凹部２Ａの開口側の面とは反対の面（ここでは裏面）に実装されている。
【００４９】
光遮蔽誘導部７の光誘導路７１は、表示灯３４１から回路基板（遮蔽体）３４２の裏面に沿いこの回路基板３４２端まで延伸された第１の光誘導路７１１と、回路基板３４２端から収納凹部２Ａの開口まで若しくはその近傍に延伸された第２の光誘導路７１２と、第１の光誘導路７１１と第２の光誘導路７１２との間に配設され、第１の光誘導路７１１に誘導された光（ＬＴ）を第２の光誘導路７１２に反射する反射部７１３とを備えている。実施例２において、第１の光誘導路７１１は回路基板３４２の裏面に平行に延在して配設され、第２の光誘導路７１２は、回路基板３４２の側面に沿って第１の光誘導路７１１に対して交差する方向に収納凹部２Ａの開口に向かって延在されている。反射部７１３は第１の光誘導路７１１に誘導されてくる光（ＬＴ）を第２の光誘導路７１２に例えば４５度の角度を持って反射させている。
【００５０】
この光誘導路７１の第１の光誘導路７１１、反射部７１３及び第２の光誘導路７１２は光透過性を有する樹脂により一体に構成されている。例えば、光誘導路７１には、金型により成形された光透過性を有するアクリル樹脂を実用的に使用することができる。
【００５１】
光誘導路移動機構は、光誘導路７１ここでは第１の光誘導路７１１に連接された摺動部７２と、摺動部７２に嵌合し、表示灯３４１から出射される光（ＬＴ）を収納凹部２Ａの開口を通してその外側に誘導する位置と誘導することができない位置との間において光誘導路７１の移動を導くガイド部７３と、光誘導路７１及び摺動部７２に連接され収納凹部２Ａの開口を塞ぐカバー６を取り付けた状態においてこのカバー６の縁６ａに押圧される可動端７４と、光誘導路７１を表示灯３４１から出射される光（ＬＴ）を収納凹部２Ａの開口を通して外側に誘導する位置に保持するための弾性体７５とを備えている。
【００５２】
ここで、光（ＬＴ）を収納凹部２Ａの開口を通してその外側に誘導する位置とは、図１０に示す回路基板３４２の裏面に近づく位置であって、表示灯３４１から発せられる光（ＬＴ）が第１の光誘導路７１１、反射部７１３及び第２の光誘導路７１２を通過して収納凹部２Ａの開口を通してその外側に誘導される位置である。光（ＬＴ）を収納凹部２Ａの開口を通してその外側に誘導することができない位置とは、図９に示す回路基板３４２の裏面から遠ざかる位置であって、表示灯３４１と第１の光誘導路７１１端（光入射面）との位置ずれを発生させ、表示灯３４１から発せられる光（ＬＴ）が第１の光誘導路７１１に導かれないか、又は第１の光誘導路７１１に導かれたとしても反射部７１３を介して第２の光誘導路７１２に導かれない位置である。
【００５３】
摺動部７２及び可動端７４はここでは光誘導路７１と同一材料により構成され一体化されている。弾性体７５には例えばコイルバネが使用されている。
【００５４】
［撮像装置の動作］
前述の撮像装置１の動作は以下の通りである。図９は撮像装置筐体２の収納凹部２Ａの開口を塞ぐカバー６を取り付けた状態の撮像装置１を示す。撮像装置１において、カバー６の取り付けによってカバー６の縁６ａにより光遮蔽誘導部７の可動端７４は押圧された状態にある。光遮蔽誘導部７においては、光誘導路７１が撮像装置筐体２の底面２ｔ側に弾性体７５の弾性力に抗して押され、表示灯３４１と第１の誘導路７１１の光入射面との位置がずれた状態にある。撮像装置１が撮影状態（動作状態）にあるとき、撮像ユニット３の電源部３４は各部に電源を供給しており、表示灯３４１にも電源が供給されているので、表示灯３４１は発光状態にある。実施例２に係る撮像装置１においては、表示灯３４１は光遮蔽誘導部７の遮蔽体である回路基板３４２により覆われ、光誘導路７１は表示灯３４１からの光を収納凹部２Ａの開口を通して外側に誘導しない位置にあるので、表示灯３４１から出射される光（ＬＴ）がカバー６の内面に反射して生じる光の映り込みが無い。
【００５５】
一方、図１０は、撮像装置１の設置作業、メンテナンス作業或いは補修作業等において、収納凹部２Ａの開口を塞ぐカバー６を取り外した状態の撮像装置１を示す。撮像装置１において、カバー６の取り外しによって光遮蔽誘導部７の可動端７４はカバー６の縁６ａの押圧から解放された状態にある。光遮蔽誘導部７においては、光誘導路７１が撮像装置筐体２の収納凹部２Ａの開口側に弾性体７５の弾性力によって戻され、表示灯３４１と第１の誘導路７１１の光入射面との位置が一致した状態にある。実施例２に係る撮像装置１においては、表示灯３４１は撮像状態にすれば発光状態にあるので、表示灯３４１から出射される光（ＬＴ）は光誘導路７１の第１の誘導路７１１の光入射面からこの第１の光誘導７１１、反射部７１２、第２の光誘導路７１３のそれぞれを通して収納凹部２Ａの開口の外側に誘導される。この誘導された光（ＬＴ）は作業者によって確認することができ、この場所において、電源部３４から各部に電源が正常に供給されているのか、供給されていないのかを即座に確認することができ、撮像装置１の設置作業等の作業効率を向上することができる。
【００５６】
［撮像装置の特徴］
実施例２に係る撮像装置１においては、カバー６を取り付けた状態において表示灯３４１から収納凹部２Ａの開口を通してその外側に出射される光（ＬＴ）を遮蔽し、カバー６を取り外した状態において表示灯３４１から出射される光（ＬＴ）を収納凹部２Ａの開口を通した外側に誘導する光遮蔽誘導部７を備えたので、撮影のときに表示灯３４１から出射される光（ＬＴ）がカバー６内面に反射されて生じる光の映り込みを無くして鮮明な映像を得ることができるとともに、設置作業等における動作状態を表示灯３４１から出射される光（ＬＴ）により確認することができ、作業効率を向上することができる。
【００５７】
更に、撮像装置１においては、光遮蔽誘導部７の遮蔽体に回路基板３４１を利用しているので、部品点数を削減し、構造を簡易にすることができるとともに、製作コストを減少することができる。
【００５８】
（その他の実施例）
上記のように、本発明を複数の実施例によって記載したが、この開示の一部をなす論述及び図面はこの発明を限定するものでない。本発明は様々な代替実施の形態、実施例及び運用技術に適用することができる。
【００５９】
例えば、前述の実施例は、撮像ユニット３の撮像部３１の撮影方向を手動により固定するタイプの撮像装置１に適用した例を説明したが、本発明は、これに限定されるものではなく、撮影方向を遠隔操作によって自動的に移動させるタイプの撮像装置１に適用することができる。また、本発明は、可視光による撮影に限らず、赤外光による撮影を実施することができる撮像装置に適用することができる。
【産業上の利用可能性】
【００６０】
本発明は、設置作業、メンテナンス作業又は補修作業において作業効率を向上することができる撮像装置に広く適用することができる。
【符号の説明】
【００６１】
１…撮像装置、２…撮像装置筐体、２Ａ…収納凹部、３…撮像ユニット、３１…撮像部、３２…信号処理部、３３…制御部、３４…電源部、３４１…表示灯、３４２…回路基板（又は遮蔽体）、３５…オンスクリーン部、３６…光学レンズ、５、７…光遮蔽誘導部、５１…固定端、５２…遮蔽体、５３…光透過窓、５４、７４…可動端、７１…光誘導路、７１１…第１の光誘導路、７１２…第２の光誘導路、７１３…反射部、７２…摺動部、７３…ガイド部、７５…弾性体、６…カバー。
【図１】
2011023912.tif 000003
【図２】
2011023912.tif 000004
【図３】
2011023912.tif 000005
【図４】
2011023912.tif 000006
【図５】
2011023912.tif 000007
【図６】
2011023912.tif 000008
【図７】
2011023912.tif 000009
【図８】
2011023912.tif 000010
【図９】
2011023912.tif 000011
【図１０】
2011023912.tif 000012